(57)【要約】【課題】列車等の壁に折り畳んで収納され、使用時に人が座部を手前へ開く座席装置に関し、収納時と使用時の人の力を軽減し、途中から自動的に収納できるようにする。【解決手段】壁１と平行且つ水平に設けられた支持軸１０により被支持部３１を回動可能に支持される座部フレーム３と、座部ブラケット３５に下端部５３を回動可能に連結され壁第１ブラケット１１に上端部５１を回動可能に連結されたガススプリング５と、壁第２ブラケット１２により吊設された伸縮自在な棒状芯材７１・その下端の幅広部７１５０と壁第２ブラケット１２に両端を規制されたコイルスプリング７５を有し、座部フレーム３が回動角度範囲αに在るときに棒状芯材７１の下端部７１５０が座部フレーム３を付勢する付勢部材７とを有する座席装置。【選択図】      図１
2010149729.tif 000002
【特許請求の範囲】
【請求項１】
壁と平行且つ水平に設けられた支持軸により後端部寄りの被支持部を回動可能に支持され、回動の終端にて収納状態又は使用状態に設定される座部フレームと、
前記座部フレームの被支持部と後端部の間に設けられた座部ブラケットに下端部を回動可能に連結されるとともに、前記壁に設けられた壁第１ブラケットに上端部を回動可能に連結されたガススプリングと、
前記壁に設けられた壁第２ブラケットにより吊設され該壁第２ブラケットよりも下方の長さを伸縮可能な棒状芯材と、該棒状芯材の下端の幅広部と前記壁第２ブラケットとにより両端を規制されて保持されたコイルスプリングとを有し、前記座部フレームが使用状態を一方の角度範囲端とする所定の回動角度範囲に在るときに棒状芯材の下端部が当該座部フレームの被支持部よりも後端部寄りの部位に当接して付勢する付勢部材と、
を有することを特徴とする座席装置。
【請求項２】
請求項１に於いて、
前記棒状芯材は、該棒状芯材と前記壁第２ブラケットとにより両端を規制されるコイルスプリングの最大長さを調整する最大長調整手段を有する、
ことを特徴とする座席装置。
【請求項３】
請求項２に於いて、
前記棒状芯材は、前記壁第２ブラケットにより吊設される筒体と、該筒体内に筒方向へ移動可能に設けられた棒体とを有し、
前記最大長調整手段は、前記棒体の上部寄り部位の周面から突出するように設けられて前記筒体の上面側により係止される係止ピンと、該係止ピンと前記筒体の上面との間に介挿される間隔調整用のスペーサと、により構成される、
ことを特徴とする座席装置。
【請求項４】
請求項２に於いて、
前記棒状芯材は、前記壁第２ブラケットにより吊設される筒体と、該筒体内に筒方向へ移動可能に設けられた棒体とを有し、
前記最大長調整手段は、前記棒体の上部寄り部位の所定の範囲に配設された複数個の貫通孔と、該複数個の貫通孔の何れかに挿通されて前記筒体の上面により係止される係止ピンと、により構成される、
ことを特徴とする座席装置。
【発明の詳細な説明】
【技術分野】
【０００１】
本発明は、列車等の壁に設けられる座席装置に関する。詳しくは、非使用時には列車等の壁に折り畳まれて収納されており、使用に際して人が座部シートを手前側へ開いて水平に設定する座席装置に関する。
【背景技術】
【０００２】
列車等の壁に設けられ、通常は列車等の壁に折り畳まれて収納されており、使用に際して、人が座部シートを手前側へ開いて水平に設定する座席装置としては、例えば、実開平２−１０６９３３号（特許文献１）の装置や、特開平４−１７６７４１号公報（特許文献２）の装置を挙げることができる。
【特許文献１】実開平２−１０６９３３号
【特許文献２】特開平４−１７６７４１号公報
【発明の開示】
【発明が解決しようとする課題】
【０００３】
通常は列車等の壁に折り畳まれて収納されていて、使用に際して人が座部シートを手前側へ開いて水平に設定する座席装置では、使用状態に設定する際や、折り畳んで収納する際に、人が容易に作業できることが望まれる。そのためには、比較的小さな力でも開いたり折り畳んだりできるとともに、さらに、折り畳む際には途中から手を離しても自動的に収納できるようにすることが望まれる。
【０００４】
しかしながら、折り畳む際に途中から手を離しても自動的に収納できるようにしようとすると、バネ等の付勢力をある程度大きく設定する必要があり、そのようにすると、使用状態に設定する際や折り畳んで収納する際に大きな力を要するようになる。
【０００５】
本発明は、列車等の壁に折り畳んで収納されている座部シートを人が水平に設定して使用する座席装置に関して、収納状態から使用状態に設定するとき、及び、使用状態から収納状態に設定するときに要する力を軽減するとともに、収納する際には途中から手を離しても自動的に収納できるようにし、さらに、収納状態の座部が列車の振動等によって開いてしまうような不具合を防止することを目的とする。
また、本発明は、座部シートを使用状態から収納状態に折り畳むときに人が要する力を軽減し得る角度範囲を、適宜に調整できるようにすることを目的とする。
【課題を解決するための手段】
【０００６】
本発明は、下記［１］〜［４］のように構成される。なお、本項（課題を解決するための手段）及び次項（発明の効果）に於いて付した符号は理解を容易にするためであり、本願発明を符号の構成に限定する趣旨ではない。
【０００７】
［１］構成１
壁１と平行且つ水平に設けられた支持軸１０により後端部寄りの被支持部３１を回動可能に支持され、回動の終端にて収納状態又は使用状態に設定される座部フレーム３と、
前記座部フレーム３の被支持部３１と後端部３９の間に設けられた座部ブラケット３５に下端部５３を回動可能に連結されるとともに、前記壁１に設けられた壁第１ブラケット１１に上端部５１を回動可能に連結されたガススプリング５と、
前記壁１に設けられた壁第２ブラケット１２により吊設され該壁第２ブラケット１２よりも下方の長さを伸縮可能な棒状芯材７１と、該棒状芯材７１の下端の幅広部７１５０と前記壁第２ブラケット１２とにより両端を規制されて保持されたコイルスプリング７５とを有し、前記座部フレーム３が使用状態を一方の角度範囲端とする所定の回動角度範囲αに在るときに棒状芯材７１の下端部７１５０が当該座部フレーム３の被支持部３１よりも後端部３９寄りの部位に当接して付勢する付勢部材７と、
を有することを特徴とする座席装置。
【０００８】
［２］構成２
構成１に於いて、
前記棒状芯材７１は、該棒状芯材７１と前記壁第２ブラケット１２とにより両端を規制されるコイルスプリング７５の最大長さを調整する最大長調整手段を有する、
ことを特徴とする座席装置。
【０００９】
［３］構成３
構成２に於いて、
前記棒状芯材７１は、前記壁第２ブラケット１２により吊設される筒体７１１と、該筒体７１１内に筒方向へ移動可能に設けられた棒体７１５とを有し、
前記最大長調整手段は、前記棒体７１５の上部寄り部位の周面から突出するように設けられて前記筒体７１１の上面７１１０側により係止される係止ピン７２と、該係止ピン７２と前記筒体７１１の上面７１１０との間に介挿される間隔調整用のスペーサ７３と、により構成される、
ことを特徴とする座席装置。
【００１０】
［４］構成４
構成２に於いて、
前記棒状芯材７１は、前記壁第２ブラケット１２により吊設される筒体７１１と、該筒体７１１内に筒方向へ移動可能に設けられた棒体７１５とを有し、
前記最大長調整手段は、前記棒体７１５の上部寄り部位の所定の範囲に配設された複数個の貫通孔７１５２，７１５２，，と、該複数個の貫通孔７１５２，７１５２，，の何れかに挿通されて前記筒体７１１の上面７１１０により係止される係止ピン７２と、により構成される、
ことを特徴とする座席装置。
【発明の効果】
【００１１】
構成１は、壁１と平行且つ水平に設けられた支持軸１０により後端部寄りの被支持部３１を回動可能に支持され、回動の終端にて収納状態又は使用状態に設定される座部フレーム３と、前記座部フレーム３の被支持部３１と後端部３９の間に設けられた座部ブラケット３５に下端部５３を回動可能に連結されるとともに、前記壁１に設けられた壁第１ブラケット１１に上端部５１を回動可能に連結されたガススプリング５と、前記壁１に設けられた壁第２ブラケット１２により吊設され該壁第２ブラケット１２よりも下方の長さを伸縮可能な棒状芯材７１と、該棒状芯材７１の下端の幅広部７１５０と前記壁第２ブラケット１２とにより両端を規制されて保持されたコイルスプリング７５とを有し、前記座部フレーム３が使用状態を一方の角度範囲端とする所定の回動角度範囲αに在るときに棒状芯材７１の下端部７１５０が当該座部フレーム３の被支持部３１よりも後端部３９寄りの部位に当接して付勢する付勢部材７と、を有することを特徴とする座席装置であるため、座部フレーム３は、回動角度範囲α（使用状態に近い側）ではガススプリング５と付勢部材７とにより付勢され、角度範囲αを外れた範囲（収納状態に近い側）ではガススプリング５のみにより付勢される。したがって、座部を収納するべく起こし始める際には比較的大きな力が必要であるが、そのときにはガススプリング５と付勢部材７の両者の補助があるため、人は比較的小さな力で座部を起こすことができる。また、途中から手を離してもガススプリング５の付勢力で自動的に収納される。また、収納状態では、座部は、ガススプリング５に付勢されているため、不用意に倒れ出るという不具合も生じない。また、座部を使用状態に設定するべく収納状態から引き出す際には、ガススプリング５の付勢力のみに抗すれば足りるため、人は比較的小さな力で引き出すことができる。
【００１２】
構成２は、構成１に於いて、前記棒状芯材７１は、該棒状芯材７１と前記壁第２ブラケット１２とにより両端を規制されるコイルスプリング７５の最大長さを調整する最大長調整手段を有する、ことを特徴とする座席装置であるため、前記回動角度範囲αを、所望の値に調整することができる。
構成３は、構成２に於いて、前記棒状芯材７１は、前記壁第２ブラケット１２により吊設される筒体７１１と、該筒体７１１内に筒方向へ移動可能に設けられた棒体７１５とを有し、前記最大長調整手段は、前記棒体７１５の上部寄り部位の周面から突出するように設けられて前記筒体７１１の上面７１１０側により係止される係止ピン７２と、該係止ピン７２と前記筒体７１１の上面７１１０との間に介挿される間隔調整用のスペーサ７３と、により構成される、ことを特徴とする座席装置であるため、構成２に関し、具体的構成を提供することができる。
構成４は、構成２に於いて、前記棒状芯材７１は、前記壁第２ブラケット１２により吊設される筒体７１１と、該筒体７１１内に筒方向へ移動可能に設けられた棒体７１５とを有し、前記最大長調整手段は、前記棒体７１５の上部寄り部位の所定の範囲に配設された複数個の貫通孔７１５２，７１５２，，と、該複数個の貫通孔７１５２，７１５２，，の何れかに挿通されて前記筒体７１１の上面７１１０により係止される係止ピン７２と、により構成される、ことを特徴とする座席装置であるため、構成２に関し、構成３とは別の具体的構成を提供することができる。
【発明を実施するための最良の形態】
【００１３】
以下、図面を参照して本発明の実施の形態を説明する。
図１は実施の形態の座席装置を示す側面図であり、（ａ）は使用状態、（ｂ）は回動途中の状態、（ｃ）は収納状態を示す。図２は図１の付勢部材７の構成を図解する側面図であり、（ａ）は分解状態、（ｂ）は組付状態（スペーサ無し）、（ｃ）は組付状態（スペーサ有り）を示す。
【００１４】
図示のように、本座席装置は、座部シート３０を支持する座部フレーム３と、背部シート８０を支持する背部フレーム８を有する。図１（ａ）に示す使用状態では、座部は壁１から引き出すように開かれており、このとき、背部は壁１から押し出されて離隔されているとともに、若干、後方へ傾斜されている。一方、図１（ｃ）に示す収納状態では、座部は折り畳まれて背部に重ねられ、壁１の通常の平面１０１から突出しないようにして、壁１の凹部１００内に収容されている。
【００１５】
上記使用状態と収納状態の設定は、以下の構成により実現される。
座部フレーム３は、その後端部寄りの被支持部３１を、壁１と平行且つ水平に壁１により支持された支持軸１０によって、回動可能に支持されている。使用状態では、座部フレーム３が支持軸１０の回りに回動されて、壁１から引き出された略水平な状態に設定される。このとき、座部フレーム３の後端部３９は、壁１の凹部１００内の垂直面、又は、該垂直面と一体に設けられた受け部（不図示）に当接されており、それ以上の回動を止められている。つまり、座部フレーム３の後端部３９が位置決めされた状態となり、水平状態から更に前下りに回動することがないように止められている。
【００１６】
座部フレーム３の後端部寄りの被支持部３１と後端部３９との間には、座部ブラケット３５が、座部フレーム３の上面側へ突出するように設けられている。この座部ブラケット３５には、ガススプリング５の下端部５３が回動可能に連結されており、その上端部５１は、壁１に固定された壁第１ブラケット１１に回動可能に連結されている。このため、座部フレーム３に対しては、常時、座部フレーム３を折り畳む方向（収納状態の方向）への付勢力が、ガススプリング５から印加されている。
【００１７】
ガススプリング５の横には、コイルスプリング７５を備えた付勢部材７が、ガススプリング５と平行に並べて設けられている。言い換えれば、図１でのガススプリング５の手前側に、付勢部材７が設けられている。なお、図１では、ガススプリング５と付勢部材７とは１個のみ示されているが、座席の左右にそれぞれ配されているものとする。なお、座席の中央部に１個ずつ配する構成や、座席中央部にガススプリング５を配し、その両側にそれぞれ付勢部材７を配するような構成等でもよい。
【００１８】
付勢部材７は、図２に示すように、筒体７１１及び該筒体７１１内に筒方向へ移動可能に設けられた棒体（ロッド）７１５から成る棒状芯材７１と、該棒状芯材７１に保持されたコイルスプリング７５とから成り、壁１に固定された壁第２ブラケット１２により、壁１に沿って吊設されている。即ち、壁１に固定された壁第２ブラケット１２に筒体７１１が取り付けられ、該筒体７１１内に棒体７１５が筒方向へ移動可能に収容されており、これら筒体７１１及び棒体７１５の外周にコイルスプリング７５が保持されている。このコイルスプリング７５の両端は、棒体７１５の下端の幅広部７１５０と壁第２ブラケット１２によって規制されている。
【００１９】
また、棒体７１５の上部寄り部位には貫通孔７１５２（図２（ａ）参照）が形成されており、この貫通孔７１５２に、係止ピン７２の直線部７２ａが挿通されている。係止ピン７２は、図２（ａ）内の上部に示すように直線部７２ａと曲線部７２ｂと突出部７２ｃを有し、直線部７２ａが貫通孔７１５２に挿通されたとき、直線部７２ａと曲線部７２ｂとが棒体７１５をバネ力で挟み込み押圧する。このため、脱落が防止される。
【００２０】
このように貫通孔７１５２に挿通された係止ピン７２は、図２（ｂ）に示すように、筒体７１１の上面７１１０により（突出部７２ｃと直線部７２ａの先端を）係止され、これにより、棒体７１５が、筒体７１１と係止ピン７２を介して、壁第２ブラケット１２により吊設されることになる。なお、図２（ｂ）は係止ピン７２を筒体７１１の上面７１１０に直接的に係止させた状態を示すが、図２（ｃ）にはスペーサ７３を介して間接的に係止させた状態を示す。図２（ｂ）と（ｃ）の比較より分かるように、スペーサ７３を介することにより、さらには、スペーサ７３の厚さ（及び／又は個数）を適宜に調整することにより、係止ピン７２の壁第２ブラケット１２からの高さ位置を適宜に調整することが可能になる。言い換えれば、棒状芯材７１の下端部７１５０の壁第２ブラケット１２からの高さ位置（フリー状態での高さ位置）を適宜に調整することが可能になる。このため、以下に述べるように、座部フレーム３が付勢部材７からの付勢力を受ける回動角度範囲αを適宜に調整することが可能になる。
【００２１】
付勢部材７の下端部、即ち、棒体７１５の下端部７１５０は、収納状態では下方に何も無いためフリーであるが、使用状態では下方に座部フレームの後端部３９寄りの部位が位置するため、該部位に当接して該部位を付勢する。即ち、座部フレーム３の被支持部３１よりも後端部３９寄りの部位に当接して該部位を付勢する。このため、当接状態では、座部フレーム３に対して、座部フレーム３を折り畳む方向（収納状態の方向）へ付勢する力が、付勢手段７から印加されることになる。なお、ガススプリング５から、座部フレーム３を折り畳む方向の力が常時印加されいてることは、前述の通りである。
【００２２】
付勢部材７による座部フレーム３の付勢は、棒状芯材７１の下端部７１５０が、座部フレーム３の上面に当接している間、継続される。即ち、使用状態から座部フレーム３が起こされ始めた後、棒状芯材７１の下端部７１５０が座部フレーム３の上面から離れてフリーになるまで、継続される。この当接が解除される角度を、図１（ａ）にαで示す。このαは、前述の説明から明らかなように、スペーサ７３の厚さ（及び／又は個数）を適宜に調整することにより、調整可能である。
【００２３】
このように、本座席装置では、座部フレーム３が使用状態から角度αだけ起こされるまでの間は、ガススプリング５からの付勢力に加えて、付勢部材７からの付勢力が併せて印加され続けるため、使用状態の座部を折り畳むために要する力が比較的大きいにもかかわらず、人は、比較的小さな力を出せば足りることになり（自動的な折り畳みが可能）、作業が楽である。また、途中から手を離したとしても、ガススプリング５の力によって自動的に収納される。
また、収納状態では、ガススプリング５からの付勢力が印加され続けているため、座部が列車の振動等で倒れ出るという不具合を防止することができる。
また、収納状態から使用状態に設定する際には、当初はガススプリング５のみからの付勢力に抗して座部を開けば足りるため、人は、比較的小さな力だけで座部を開き始めることができる。また、途中からは付勢部材７による付勢力も加わるが、体重で押し下げる場合であるため、人は、大きな力は必要なく、作業は楽である。
【００２４】
次に、背部について説明する。
背部シート８０は、背部フレーム８により支持されている。この背部フレーム８は、その下端部８３を、前記座部ブラケット３５に回動可能に連結されるとともに、上端部寄り部位８９を、支持部材９の下端部９８に回動可能に連結されている。また、この支持部材９は、その上端部９１を、壁１に固定された壁第３ブラケット１３に回動可能に連結されている。なお、壁第３ブラケット１３の位置は、前記壁第１ブラケット１１よりも高い位置である。
【００２５】
このように構成されているため、座部フレーム３を収納状態から使用状態へ開くと、その動きに連動して、背部フレーム８の下端部８３が座席前方側へ若干押し出されるとともに、上端部寄り部位８９が座席後方側へ若干退避され、結果、背部シート８０は、若干後方へ傾斜された状態となる。即ち、着座者にとって心地好い傾斜状態となる。
【００２６】
また、座部フレーム３を使用状態から収納状態へ閉じると、その動きに連動して、背部フレーム８の下端部８３が座席後方側へ若干引き込まれるとともに、上端部寄り部位８９も座席後方側へ若干引き込まれ、結果、背部シート８０は、壁１の凹部１００内に完全に収容されて、壁１の通常の平面１０１から突出するということがなくなる。
【００２７】
以上に述べた構成では、棒状芯材７１の下端部７１５０の高さ位置を調整する手法、言い換えれば、回動角度範囲αを調整する手法として、スペーサ７２の介挿の有無や、介挿する場合の個数、或いは、異なる厚さのスペーサを用いることを述べているが、調整手法としては、他の手法を用いることもできる。
【００２８】
例えば、図２（ａ）では、棒体（ロッド）７１５の貫通孔として、１個のみの貫通孔７１５２が示されているが、これに代えて、複数個の貫通孔を棒体７１５の長さ方向に配列し、何れの貫通孔に係止ピン７２を挿通させるかによって調整するようにしてもよい。
【００２９】
或いは、壁第２ブラケット１２により支持される筒体７１１の支持高さを変えることにより、調整してもよい。筒体７１１の支持高さは、例えば、ボルト・ナット機構を用いることにより、適宜の高さに設定することができる。
【図面の簡単な説明】
【００３０】
【図１】実施の形態の座席装置を示す側面図であり、（ａ）は使用状態、（ｂ）は回動途中の状態、（ｃ）は収納状態を示す。
【図２】図１の付勢部材７の構成例を示す側面図であり、（ａ）は分解状態、（ｂ）は組付状態（スペーサ無し）、（ｃ）は組付状態（スペーサ有り）を示す。
【符号の説明】
【００３１】
１  壁
１０  支持軸
１１  壁第１ブラケット
１２  壁第２ブラケット
１３  壁第３ブラケット
３  座部フレーム
３０  座部シート
３１  座部フレームの被支持部
３５  座部ブラケット
３９  座部フレームの後端部
５  ガススプリング
５１  ガススプリングの上端部
５３  ガススプリングの下端部
５５  ガススプリングのロッド
７  付勢部材
７１  棒状芯材
７１１  筒体
７１１０  筒体上面
７１５  棒体（ロッド）
７１５０  棒状芯材（棒体／ロッド）の下端部／下端の幅広部
７１５２  貫通孔
７２  係止ピン
７３  スペーサ
７５  コイルスプリング
８  背部フレーム
８０  背部シート
８３  背部フレームの下端部
８９  背部フレームの上端部寄り部位
９  支持部材
９１  支持部材の上端部
９８  支持部材の下端部
α  回動角度範囲
【図１】
2010149729.tif 000003
【図２】
2010149729.tif 000004